(57)【特許請求の範囲】
【請求項１】
毛髪を取り込むための刃先溝が設けられた第１の鋏半部と棒刃が設けられた第２の鋏半部とをピボットにより連結した梳き鋏において、
前記第１の鋏半部には、先部側に位置する櫛部が設けられ、前記櫛部の前列は、前記刃先溝が設けられた切断領域を有し、前記櫛部の後列は、前記刃先溝が設けられない非切断領域を有し、
前記第２の鋏半部には、前記切断領域及び前記非切断領域に対応して切刃部が設けられ、
前記ピボットと前記非切断領域との間において、前記第１の鋏半部と前記第２の鋏半部とが接触しない毛髪逃げ空間が設けられ、
前記毛髪逃げ空間において、前記第１の鋏半部は、前記第２の鋏半部に到達しない短歯が形成された短歯領域を有することを特徴とする梳き鋏。
【請求項２】
前記刃先溝は、一本の毛髪が入る凹部として形成されていることを特徴とする請求項１記載の梳き鋏。
【請求項３】
前記非切断領域の後端に位置する第１の端歯と前記短歯領域の前端に位置する第２の端歯の間は、前記第１の端歯から前記第２の端歯に向かって順次短くなる中間歯が形成された中間歯領域を有することを特徴とする請求項１に記載の梳き鋏。
【請求項４】
前記切刃部の後部には、一段下げられた段差部が設けられていることを特徴とする請求項１〜３の何れか一項に記載の梳き鋏。
【発明の詳細な説明】
【技術分野】
【０００１】
本発明は、理容又は美容業界において、頭髪のカットに利用される梳き鋏に関するものである。
【背景技術】
【０００２】
従来、このような分野の技術として、実開昭５７−２３２６８号公報がある。この公報に記載された梳き鋏は、櫛刃を有する第１の鋏半部と棒刃を有する第２の鋏半部とがピボットにより連結され、第１の鋏半部の先部側における櫛刃の刃隙間は、第１の鋏半部の後部側における刃隙間よりも小さく形成されている。さらに、第２の鋏半部の棒刃には、櫛刃の全長に対応するように切刃が形成されている。このような梳き鋏を利用することで、毛元側から毛先側にかけて梳き量を次第に大きくすることができる。
【先行技術文献】
【特許文献】
【０００３】
【特許文献１】実開昭５７−２３２６８号公報
【特許文献２】特開平１１−２２６２７１号公報
【特許文献３】実用新案登録第３１２３７６４号公報
【発明の概要】
【発明が解決しようとする課題】
【０００４】
しかしながら、前述した従来の梳き鋏では、頭髪のボリューム感を調整することはできるが、毛量を根元から減らしたい場合に、毛髪の絡みに影響されて、毛髪の微調整の施術が難かった。
【０００５】
本発明は、毛髪の微調整の施術を容易にした梳き鋏を提供することを目的とする。
【課題を解決するための手段】
【０００６】
本発明は、毛髪を取り込むための刃先溝が設けられた第１の鋏半部と棒刃が設けられた第２の鋏半部とをピボットにより連結した梳き鋏において、
前記第１の鋏半部には、先部側に位置する櫛部が設けられ、前記櫛部の前列は、前記刃先溝が設けられた切断領域を有し、前記櫛部の後列は、前記刃先溝が設けられない非切断領域を有し、
前記第２の鋏半部には、前記切断領域及び前記非切断領域に対応して切刃部が設けられ、
前記ピボットと前記非切断領域との間において、前記第１の鋏半部と前記第２の鋏半部とが接触しない毛髪逃げ空間が設けられ、
前記毛髪逃げ空間において、前記第１の鋏半部は、前記第２の鋏半部に到達しない短歯が形成された短歯領域を有することを特徴とする。
【０００７】
この梳き鋏においては、毛髪逃げ空間を設けることで、鋏の軽量化を図ることができ、これによって、毛髪の微細な施術を可能にすることができ、さらには、絡んだ毛髪をこの毛髪逃げ空間内に逃がすことができるので、毛髪の絡みに影響されるような施術を回避させることができ、これによって、毛髪の微調整の施術を容易にしていている。絡み合った毛髪の根元は、切断領域に形成された刃先溝内に入り込んで切断される。また、櫛部の非切断領域は、櫛としての機能を有しているので、切断される毛髪の上方で絡みを取り除くことができ、切断領域の刃先溝内に毛髪を確実に入り込ませるように機能している。
【０００８】
また、前記毛髪逃げ空間において、前記第１の鋏半部は、前記第２の鋏半部に到達しない短歯が形成された短歯領域を有すると、このような構成を採用すると、毛髪逃げ空間内で絡み合った毛髪に対しても、短歯によって櫛機能を発揮させることがきる。
【０００９】
また、前記刃先溝は、一本の毛髪が入る凹部として形成されていると好適である。
このような構成を採用すると、微細な切断を可能にし、これによって、毛髪の更なる微調整が容易になる。
【００１０】
また、前記非切断領域の後端に位置する第１の端歯と前記短歯領域の前端に位置する第２の端歯の間は、前記第１の端歯から前記第２の端歯に向かって順次短くなる中間歯が形成された中間歯領域を有すると好適である。
このような構成を採用すると、非切断領域と短歯領域との間でも良好な櫛機能を発揮させることができる。
【００１１】
また、前記切刃部の後部には、一段下げられた段差部が設けられていると好適である。
このような構成を採用すると、施術中において、毛髪を毛髪逃げ空間内に導き易くすることができる。
【発明の効果】
【００１２】
本発明によれば、毛髪の微調整の施術を容易にできる。
【図面の簡単な説明】
【００１３】
【図１】本発明に係る梳き鋏の一実施形態を示す正面図である。
【図２】図１に示された梳き鋏の要部拡大図である。
【図３】梳き鋏が開いた状態を示す要部拡大図である。
【図４】梳き鋏の使用状態を示す図である。
【図５】櫛部における刃先を示す拡大図である。
【発明を実施するための形態】
【００１４】
以下、図面を参照しつつ本発明に係る梳き鋏の好適な実施形態について詳細に説明する。なお、梳き鋏の先端側を「前」、梳き鋏の指挿入環側を「後」として説明する。
【００１５】
マイクロスキャナで頭皮を観察すると、個人差はあるが、毛量が多い人の場合、４，５本が一つの毛穴から出ており、このことが毛髪の密度に関係している。また、生え方はまちまちであるが、毛穴からクロスするように髪が生えており、髪の毛は不規則なクロスや回転を生じながら束のように伸びているので、生え出した毛髪は自然なツイストやヨジレを生じている。
【００１６】
毛髪の生え出す角度と毛流(頭皮からの毛髪の流れ)によって、毛髪の交差ができてしまい、この絡みが、毛髪の生えだしから毛先まで複数の毛束が束間を形成してしまう。自然界に例えると、手入れのなされていない竹林のようなものである。これらの交差が毛流との関連で、互いに絡み合い、束を作り、貼り付いたような状態の原因を作り出してしまうと考えられる。これらが前髪の割れ、施毛の割れの現象を作り出してしまう。この交差を櫛で解くのは難しく、特に、毛髪の根元から解くのは限界があり、非常に難しい。
【００１７】
そこで、毛髪交差を梳かして解くのではなく、毛髪と毛髪の交差や重なりを広げることが有効であると見い出した。そして、毛髪の交差を低減させる施術を行うことで、毛髪による乱反射が少なくなり、艶髪のような輝きを得ることができ、手触りもサラサラ感をも得ることができる。
【００１８】
そこで、以下のような梳き鋏１が発案された。
【００１９】
図１に示されるように、梳き鋏１は、櫛部２ａが設けられた第１の鋏半部２と、棒刃３ａが設けられた第２の鋏半部３とがピボット４により連結されている。第１の鋏半部２の基端には指挿入環２ｂが設けられ、第２の鋏半部３の端部にも指挿入環３ｂが設けられている。
【００２０】
図２及び図３に示されるように、第１の鋏半部２には、先部側に位置する櫛部２ａが設けられ、櫛部２ａの前列は、刃先溝１０が設けられた第１の櫛歯１１が複数本(例えば等間隔に７本)一列に並べられた切断領域Ｓ１を有している。
【００２１】
櫛部２ａの後列は、刃先溝１０が設けられない第２の櫛歯１２が複数本(例えば等間隔に４本)一列に並べられた非切断領域Ｓ２を有している。そして、第１の櫛歯１１は、前側から徐々に長くなっており、第２の櫛歯１２は、第１の櫛歯１１から連続するように後側に向かって徐々に長くなっている。
【００２２】
第２の鋏半部３の棒刃３ａには、切断領域Ｓ１及び非切断領域Ｓ２に対応して延在する切刃部１３と、切刃部１３から後方に延在する止め刃部１４と、を有する。
【００２３】
そして、ピボット４と非切断領域Ｓ２との間において、第１の鋏半部２と第２の鋏半部３とが接触しない毛髪逃げ空間Ｒが設けられている。この毛髪逃げ空間Ｒは、非切断領域Ｓ２の後方で、梳き鋏１の長手方向に延在し、長手方向において、切断領域Ｓ１と非切断領域Ｓ２とを合算した長さの２倍以上の長さを有している。
【００２４】
図４に示されるように、この梳き鋏１においては、毛髪逃げ空間Ｒを設けることで、鋏１の軽量化を図ることができ、これによって、毛髪Ａの微細な施術を可能にすることができ、さらには、絡んだ毛髪Ａをこの毛髪逃げ空間Ｒ内に逃がすことができるので、頭部Ｈの毛髪Ａの絡みに影響されるような施術を回避させることができ、これによって、毛髪Ａの微調整の施術を容易にしていている。絡み合った毛髪Ａの根元は、切断領域Ｓ１に形成された刃先溝１０(図５(ｂ)参照)内に入り込んで切断される。また、櫛部２ａの非切断領域Ｓ２は、櫛としての機能を有しているので、頭部Ｈにおいて、切断される毛髪Ａの上方で絡みを取り除くことができ、切断領域Ｓ１の刃先溝１０内に毛髪Ａを確実に入り込ませるように機能している。
【００２５】
また、第１の櫛歯１１の刃先溝１０は、一本の毛髪Ａが入る湾曲状の凹部として形成されている(図４(ｂ)参照)。第２の櫛歯１２は、先細形状をなして、刃先溝１０を有していない(図４(ａ)参照)。このような構成を採用すると、微細な切断を可能にし、これによって、毛髪Ａの更なる微調整が容易になる。
【００２６】
図２及び図３に示されるように、毛髪逃げ空間Ｒにおいて、第１の鋏半部２は、第２の鋏半部３に到達しない短歯１６が形成された短歯領域Ｓ４を有する。複数本(例えば等間隔に７本)の短歯１６は、刃先溝１０を有しておらず、１〜３ｍｍ程度の短い長さになっている。このような構成を採用すると、毛髪逃げ空間Ｒ内で絡み合った毛髪Ａに対しても、短歯１６によって櫛機能を発揮させることがきる。
【００２７】
非切断領域Ｓ２の後端に位置する第１の端歯１２ａと短歯領域Ｓ４の前端に位置する第２の端歯１６ａの間は、第１の端歯１２ａから第２の端歯１６ａに向かって順次短くなる中間歯１７が形成された中間歯領域Ｓ３を有する。この場合、中間歯１７は、複数本(例えば２本)である。このような構成を採用すると、非切断領域Ｓ２と短歯領域Ｓ４との間でも良好な櫛機能を発揮させることができる。
【００２８】
切刃部１３の後部には、一段下げられた段差部１８が設けられている。このような構成を採用すると、施術中において、毛髪Ａを毛髪逃げ空間Ｒ内に導き易くすることができる。
【符号の説明】
【００２９】
１…梳き鋏  ２…第１の鋏半部  ２ａ…櫛部  ３…第２の鋏半部  ３ａ…棒刃  ４…ピボット  １０…刃先溝  １１…第１の櫛歯  １２…第２の櫛歯  １２ａ…第１の端歯  １３…切刃部  １４…止め刃部  １６…短歯  １６ａ…第２の端歯  １７…中間歯  １８…段差部  Ａ…毛髪  Ｒ…毛髪逃げ空間  Ｓ１…切断領域  Ｓ２…非切断領域  Ｓ３…中間歯領域  Ｓ４…短歯領域
【要約】
【課題】本発明は、毛髪の微調整の施術を容易にした梳き鋏を提供する。
【解決手段】毛髪Ａを取り込むための刃先溝１０が設けられた第１の鋏半部２と棒刃３ａが設けられた第２の鋏半部３とをピボット４により連結した梳き鋏において、
前記第１の鋏半部２には、先部側に位置する櫛部２ａが設けられ、前記櫛部２ａの前列は、前記刃先溝１０が設けられた切断領域Ｓ１を有し、前記櫛部２ａの後列は、前記刃先溝１０が設けられない非切断領域Ｓ２を有し、前記第２の鋏半部３には、前記切断領域Ｓ１及び前記非切断領域Ｓ２に対応して切刃部が設けられ、前記ピボット４と前記非切断領域Ｓ２との間において、前記第１の鋏半部２と前記第２の鋏半部３とが接触しない毛髪逃げ空間Ｒが設けられている。
【選択図】図３【図１】
0005922213.tif 000002
【図２】
0005922213.tif 000003
【図３】
0005922213.tif 000004
【図４】
0005922213.tif 000005
【図５】
0005922213.tif 000006